(57)【要約】      （修正有）【課題】粘着テープを巻いた粘着ローラを被清掃物に押し当てて塵埃等を粘着除去する清掃具において、汚れた粘着テープの切断を容易にし、また粘着ローラの支持を堅固なものとしながら、粘着ローラの着脱を簡単にする。【解決手段】粘着ローラ２と、粘着ローラ２を回転自在に支持する支持軸３と、支持軸３の端部に連結され、支持軸３を保持する左右一対のアーム４と、アーム４の基部に設けられた把手８と、粘着ローラ２の外周部に粘着ローラ２との間に間隔をおいて設けられた鋸歯状の歯先を有する粘着テープ切断用の歯体とを備えた清掃具。【選択図】図１
0003138165.tif 000002
【実用新案登録請求の範囲】
【請求項１】
粘着テープを円筒状に巻いた粘着ローラと、該粘着ローラを支持する支持軸と、該支持軸の端部に連結され該支持軸を回転自在に支持するアームと、該アームの基部に設けられた把手と、前記粘着ローラの外周部に該粘着ローラとの間に間隔をおいて設けられた鋸歯状の歯先を有する粘着テープ切断用の歯体とを備えていることを特徴とする清掃具。
【請求項２】
前記歯体と把手との間に該歯体を保護する保護部材が設けられている請求項１に記載の清掃具。
【請求項３】
左右一対のアームが設けられ、左右いずれか一方の前記アームは前記支持軸に直接連結され、他方のアームは、一方の端部がそのアームの先端部に着脱自在に連結されるとともに他方の端部が前記支持軸に着脱自在に連結される概略カギ型の連結部材を介して、前記支持軸に連結される請求項１または２に記載の清掃具。
【請求項４】
前記粘着ローラと前記歯体を収納可能な容器状カバー部材が着脱自在に付設されている請求項１から３までのいずれかに記載の清掃具。
【考案の詳細な説明】
【技術分野】
【０００１】
本考案は、床やカーペット等の清掃に使用するに適した清掃具に関するもので、さらに詳しくは、粘着テープを巻いたローラを用いる清掃具に関するものである。
【背景技術】
【０００２】
塵埃や毛髪等が付着したカーペット、衣服等の清掃には、粘着テープを円筒状に巻いたローラを有する清掃具が使用されている（例えば特許文献１参照）。この清掃具は、カーペット等の清掃面状に粘着テープのローラを転動させながら、付着している塵埃等を粘着除去するものである。
【特許文献１】特開２００６−１６７２６６号公報
【考案の開示】
【考案が解決しようとする課題】
【０００３】
上記粘着テープのローラを用いる清掃具は、使用により当該ローラの外周面に多くの塵埃等が付着し、粘着面が覆われることにより、清掃効果が低下するので、適宜汚れた粘着テープを剥ぎ取って、新たな粘着面を露出させる必要がある。
【０００４】
従来この粘着テープの剥ぎ取りは、粘着テープをローラから所定量だけ引き出し、人手で引っ張って切断していたが、この切断にはかなりの力を要するのみならず、粘着テープを直線状に切断するのが難しいので、使い勝手が悪く、粘着テープに無駄が生じやすいという問題点があった。
【０００５】
また、粘着テープを使い切ったローラは、新たなローラと交換する必要があるが、ローラの支持構造は使用中に該ローラをしっかりと保持できるように堅固な構造となっておらず、ローラの着脱の際慎重な取り扱いを必要としていた。
【０００６】
本考案は、上記粘着テープローラを使用する清掃具において、表面が汚れた粘着テープをローラから剥して簡単に切断できるようにすることを目的としている。また、粘着テープの保持を確実にしながら、その着脱を比較的簡単に行うことのできる清掃具を提供することも一つの目的である。
【課題を解決するための手段】
【０００７】
本考案は、上記課題を解決するため、次のような構成を採用した。すなわち、本考案に係る清掃具は、粘着テープを円筒状に巻いた粘着ローラと、該粘着ローラを回転自在に支持する支持軸と、該支持軸の端部に連結され該支持軸を保持するアームと、該アームの基部に設けられた把手と、前記粘着ローラの外周部に該粘着ローラとの間に間隔をおいて設けられた鋸歯状の歯先を有する粘着テープ切断用の歯体とを備えていることを特徴としている。
【０００８】
前記歯体と把手との間に該歯体を保護する保護部材を設けておくのが安全上好ましい。また、粘着ローラを支持する前記アームが把手から左右に伸び出すように左右一対設けられ、左右いずれか一方のアームは直接前記支持軸に連結されるとともに、他方のアームは、一方の端部がアームの先端部に着脱自在に連結され他方の端部が前記支持軸に着脱自在に連結される概略カギ型の連結部材を介して前記支持軸に連結される構造のものが好ましい。
【０００９】
この場合、前記連結部材は、アームの端部に設けた嵌合孔に嵌合することにより連結される構造とするのが好ましく、この嵌合孔の内径を連結部材との間に若干のアソビがあるように、やや大きめに形成しておくのが着脱操作上好ましい。
【００１０】
なお、粘着ローラと歯体を収納可能で、清掃具に対し着脱自在な容器状カバー部材を付設しておけば、清掃具の不使用時にこのカバーを被せておくことにより、粘着ローラが他の物品に粘着することを効果的に防止することができる。
【考案の効果】
【００１１】
本考案に係る清掃具は、粘着テープを巻いた粘着ローラの外周部に、所定の間隔をおいて該粘着テープを切断することのできる所定長さの鋸歯状の歯体が設けられているので、汚れた粘着テープを粘着ローラから引き出して、当該歯体に押し当てることにより、簡単に切断することができる。しかも切断線は直線状であるから、粘着テープの無駄が生じにくい。
【００１２】
また、前記歯体に沿って該歯体を保護する棒状の保護部材を並列に設けておけば、歯先の部分に手が入りにくくなるので、過って歯体に手を触れて怪我をするようなことを効果的に防止できる。
【００１３】
さらに、粘着ローラを支持する前記アームが、把手から左右に伸び出すように設けられ、左右いずれか一方のアームは直接前記支持軸に連結され、他方のアームは、一方の端部がアームの先端部に着脱自在に連結され他方の端部が前記支持軸に着脱自在に連結される概略カギ型の連結部材を介して前記支持軸に連結される構造としておけば、使用中グラグラせず、しかも当該連結部材を取り外すだけで、簡単に粘着ローラの端部をフリーな状態にすることができるので、粘着ローラの着脱が容易となる。この場合、連結部材の端部をアームの端部に設けた嵌合孔に嵌合することにより連結する構造とすれば、簡単な連結構造が得られる。しかも、上記嵌合孔を連結部材の外径よりもやや大きめに形成しておくと、連結部材の着脱が容易となる。
【００１４】
また、前記粘着ローラと歯体を収納できる着脱自在な容器状カバーを付設しておけば、不使用時に粘着ローラが他の物品に粘着しないように保持できるので便利である。
【考案を実施するための最良の形態】
【００１５】
以下、本考案の実施の形態について具体的に説明する。
【００１６】
図１、図２は、本考案に係る清掃具の実施例を表すもので、この清掃具１は、粘着テープ２ａを紙芯２ｂ上に円筒状に巻いた粘着ローラ２を備えている。
【００１７】
粘着ローラ２の紙芯２ｂの内部には支持軸３が嵌合しており、該支持軸３が左右一対のアーム４、５によって回転自在に支持されている。アーム４は、基部が把手８に固着され、その中間部には合成樹脂製パイプ９が嵌着され、支持軸３の位置でほぼ直角に屈曲して、該屈曲した先端部４ａが支持軸３の一方の端部付近に設けたフランジ３ａの小孔６に挿通されている。
【００１８】
他方のアーム５は、図４に示すように、前記支持軸３の位置よりも手前で切断されており、その先端部にパイプ９が嵌着されている。このパイプ９は、図３に示すようなカギ型の連結部材１０によって前記支持軸３に連結されている。連結部材１０は、アーム５と同様な径の金属棒で作られたカギ型の部材であり、一方の端部が前記アーム５に設けたパイプ９に嵌合し、他方の端部が前記支持軸３の端部に設けたフランジ３ｂの小孔６に挿通されることにより、アーム５と支持軸３とを回転自在に連結している。
【００１９】
前記アーム５に取り付けられているパイプ９の内径は、連結部材１０の外径よりも若干大きく形成され、連結部材１０との間に若干のアソビＳがあるように設けられている。このため、連結部材１０の着脱時に、該連結部材１０を若干傾けることができることになり、着脱操作が容易なものとなっている。
【００２０】
前記支持軸３の外径は図５に示すように粘着ローラ２の紙芯２ｂの内径とほぼ等しく、粘着ローラ２は、支持軸３にシマリ嵌め式に嵌着されるようになっている。支持軸３の一方の端部（前記連結部材１０が連結される側）には、鍔状の張出部３ｃが一体に形成されており、この張出部３ｃによって粘着ローラ２の逸脱が規制されるようになっている。粘着ローラ２を支持軸３から取り外すときは、この張出部３ｃを指で押さえて、軸芯側（図５の矢印方向）に撓ませて、該支持軸３の端部の外径を小さくすることにより、簡単に粘着ローラ３を抜き取ることができる。
【００２１】
左右のアーム４、５に取り付けたパイプ９，９の間には、歯体（テープカッター）１５が設けられている。歯体１５は、薄い金属板からなる細長い形状のものであり、前記粘着ローラ２と反対側の縁部に鋸歯状のギザギザの歯１５ａが形成されている。歯体１５は、前記パイプ９に固着したフレーム１６に取り付けられるとともに、その両端部は、それぞれの側のパイプ９にしっかりと固着されていて、前記粘着ローラ２との間に若干の隙間が存在する状態で該粘着ローラ２と平行に支持されている。
【００２２】
前記歯体１５の歯１５ａの近傍には、保護部材２０が設けられている。保護部材２０は金属、プラスチック、木材等で作られた棒状の部材であり、両端部が歯体１５と同様に前記パイプ９に摺動可能に取り付けられており、使用しない際には、歯１５ａに接近させ、人手が過って歯１５ａに接触することを防止するようにしている。
【００２３】
この清掃具１の使用に際しては、図２に示すように、清掃使用とする床Ｆ上に粘着ローラ２を押し当てて、矢印方向に転がしながら移動する。これにより、床Ｆの塵埃や毛髪等のゴミごみが粘着テープ表面に粘着され、床面から除去されるのである。
【００２４】
清掃により粘着ローラ２の外周面が汚れたら、図６に示すように、該粘着ローラ２から１巻分の粘着テープ２ａを引き出し、その切断位置を前記歯体１５に押し当てて歯体の向きと逆方向（図の矢印方向）に引っ張ることにより、粘着テープの汚れた部分を切り離すことができる。この切断は簡単であり、粘着テープ２ａを所望の位置で直線状に切断することができるので該粘着テープの無駄が生じない。汚れた粘着テープを切断したあとの粘着ローラ側の引き出し部分切断部は、該粘着ローラ２上に巻きつけておけばよい。
【００２５】
図７、図８は、この清掃具１に付設されたカバー３０を表すもので、このカバー３０は、前記清掃具１とは別体に製作されるもので、内部に粘着ローラ２と歯体１５を収納することができるように断面が丸みを帯びた容器状に形成されている。カバー３０は二つ割り構造であり、基部が蝶番３２で互いに枢着され、該蝶番３２の部分を中心に開閉自在となっている。該蝶番３２と反対側の自由端部には、カバー３０を閉じた状態で固定することのできるロック部材３３が一体に形成されている。ロック部材３３は、二つ割りされたカバーの一方と他方の先端部にそれぞれ一体に形成されており、両者を弾性的な変形により互いに係合、分離することができるものである。ロック部材３３を係合させると、カバー３０が閉じた状態で固定され、ロック部材３３の係合を解除すると、カバー３０を開いて、清掃具１本体から取り外すことができる。なお、カバー３０の底部には、床面状に起立状態で載配するための平面部３４が一体に形成されている。
【００２６】
このようなカバー３０を備えた清掃具１は、図８（ａ）、（ｂ）に示すように、不使用時に粘着ローラ２と歯体１５を当該カバー内に収納する状態で清掃具１本体に取り付けておくことができ、粘着ローラ２が他の物品に接触して粘着することが防止できるので実用上便利である。また、歯体１５もこのカバー３０内に収納できるようにすることにより、より安全なものとなる。
【００２７】
つぎに、図９は上記と若干異なる実施の形態を表すもので、この清掃具１’は、上記実施の形態におけるような連結部材１０が設けられておらず、粘着ローラ２を一方のアーム４だけで片持ち状に支持するようになっている。他の部分の構造は上記実施の形態におけると同様である。この実施の形態では、アームの強度が弱いと粘着ローラ２の支持が不安定となりやすいが、構造的には簡単である。
【図面の簡単な説明】
【００２８】
【図１】本考案の清掃具の一実施の形態を表す正面図である。
【図２】本実施の形態における、使用状態における清掃具の側面図である。
【図３】本実施の形態の連結部材の正面図である。
【図４】本実施の形態において、連結部材を取り外した状態を表す正面図である。
【図５】本実施の形態における、支持軸と粘着ローラの拡大側面図である。
【図６】本実施の形態における、粘着テープの切断方法の説明図である。
【図７】本実施の形態のカバーの側面図である。
【図８】本実施の形態のカバーを取り付けた状態を表す正面図（ａ）および側面図（ｂ）である。
【図９】本考案の上記と異なる実施の形態を表す正面図である。
【符号の説明】
【００２９】
１              清掃具
２              粘着ローラ
３              支持軸
４、５          アーム
８              把手
１０              連結部材
１５              歯体
２０              保護部材
３０              カバー
【図１】
0003138165.tif 000003
【図２】
0003138165.tif 000004
【図３】
0003138165.tif 000005
【図４】
0003138165.tif 000006
【図５】
0003138165.tif 000007
【図６】
0003138165.tif 000008
【図７】
0003138165.tif 000009
【図８】
0003138165.tif 000010
【図９】
0003138165.tif 000011